(57)【要約】【課題】累積使用回数を知ることができる局部洗浄便座装置を提供する。【解決手段】局部洗浄便座装置は、使用者が着座する便座３と、人体の局部を洗浄する洗浄水を吐出する洗浄部５と、局部洗浄便座３装置を操作する複数の操作スイッチ８をもつ操作パネル６と、局部洗浄便座装置の設定状況または使用状況を表示する表示手段７とを有する。使用者が便座３に着座したことを検知する着座センサ２２と、使用者が便座３に着座した累積回数を記憶する累積回数記憶手段と、複数の操作スイッチ８が操作されることにより通常制御モードから累積回数表示モードに変更させるモード変更手段と、使用者が便座３に着座した累積回数を回数表示モードにおいて表示手段７に表示させる累積回数表示指令手段とを具備する。【選択図】図１
2007023498.tif 000002
【特許請求の範囲】
【請求項１】
使用者が着座する便座と、人体の局部を洗浄する洗浄水を吐出する洗浄部と、複数の操作スイッチをもつ操作パネルと、局部洗浄便座装置の設定状況または使用状況を表示する表示手段とを具備する局部洗浄便座装置において、
使用者が便座に着座したことを検知する着座センサと、
使用者が便座に着座した累積回数を記憶する累積回数記憶手段と、
少なくとも１個の前記操作スイッチが操作されることにより、使用者が前記便座に着座した累積回数を前記表示手段に表示させる累積回数表示指令手段とを具備していることを特徴とする局部洗浄便座装置。
【請求項２】
使用者が着座する便座と、人体の局部を洗浄する洗浄水を吐出する洗浄部と、複数の操作スイッチをもつ操作パネルと、局部洗浄便座装置の設定状況または使用状況を表示する表示手段とを具備する局部洗浄便座装置において、
使用者が洗浄処理した累積回数を記憶する累積回数記憶手段と、
少なくとも１個の前記操作スイッチが操作されることにより、使用者が前記洗浄部で洗浄処理した累積回数を前記表示手段に表示させる累積回数表示指令手段とを具備していることを特徴とする局部洗浄便座装置。
【請求項３】
使用者が着座する便座と、人体の局部を洗浄する洗浄水を吐出する洗浄部と、複数の前記操作スイッチをもつ操作パネルと、局部洗浄便座装置の設定状況または使用状況を表示する表示手段とを具備する局部洗浄便座装置において、
使用者が便座に着座したことを検知する着座センサと、
使用者が便座に着座した累積回数および使用者が前記洗浄部で洗浄処理した累積回数を記憶する累積回数記憶手段と、
少なくとも１個の前記操作スイッチが操作されることにより、使用者が前記便座に着座した累積回数および使用者が前記洗浄部で洗浄処理した累積回数を前記表示手段に表示させる累積回数表示指令手段とを具備していることを特徴とする局部洗浄便座装置。
【請求項４】
請求項１〜３のうちのいずれか一項において、前記累積回数表示指令手段は、少なくとも２個の前記操作スイッチが操作されることにより、前記累積回数を表示する指令を前記表示装置に出力することを特徴とする局部洗浄便座装置。
【請求項５】
請求項１〜４のうちのいずれか一項において、前記累積回数表示指令手段は、使用者が前記便座に着座していない条件のもとで、複数の前記操作スイッチが操作されることにより、前記累積回数を表示する指令を前記表示装置に出力することを特徴とする局部洗浄便座装置。
【請求項６】
請求項１〜５のうちのいずれか一項において、前記累積回数を表示する前記操作スイッチは、お尻洗浄用のスイッチ、ビデ洗浄用のスイッチ、洗浄水の水勢を調整するスイッチ、洗浄水の温度を調整するスイッチ、便座を加熱するスイッチ、擬音を発生させるスイッチのうちの少なくとも２つであることを特徴とする局部洗浄便座装置。
【請求項７】
請求項１〜６のうちのいずれか一項において、前記表示手段は前記操作パネルに設けられており、洗浄水の水勢のレベル、洗浄水の温度レベル、前記便座の温度レベルのうちの少なくとも一つを表示する機能を有するものであり、更に、累積回数を表示する機能を併有することを特徴とする局部洗浄便座装置。
【請求項８】
請求項１〜７のうちのいずれか一項において、前記表示手段は複数の表示素子で構成されていることを特徴とする局部洗浄便座装置。
【請求項９】
請求項８のうちのいずれか一項において、前記累積回数は複数の桁の数字からなり、前記累積回数表示指令手段は、前記累積回数を前記表示手段により表示するにあたり、前記累積回数の各桁における数字を、連続点灯または点滅点灯した前記表示素子の個数により表示することを特徴とする局部洗浄便座装置。
【請求項１０】
請求項１〜９のうちのいずれか一項において、前記累積回数表示指令手段は、複数の桁からなる前記累積回数のうち、上桁から下桁に向けて、または、下桁から上桁に向けて順に表示する指令を前記表示装置に出力することを特徴とする局部洗浄便座装置。
【請求項１１】
請求項１〜１０のうちのいずれか一項において、少なくとも１つの前記累積回数表示指令手段は、前記操作スイッチの操作により、前記累積回数の各桁の表示を切り替える指令を前記表示手段に出力することを特徴とする局部洗浄便座装置。
【請求項１２】
請求項１〜１０のうちのいずれか一項において、前記累積回数表示指令手段は、時間経過につれて、前記累積回数の各桁の表示を切り替える指令を前記表示手段に出力することを特徴とする局部洗浄便座装置。
【請求項１３】
請求項１〜１２のうちのいずれか一項において、使用者が前記便座に着座していない条件のもとで少なくとも１個の前記操作スイッチが操作されることにより、前記累積回数表示指令手段は、累積回数を表示するモードから、通常制御モードに復帰させることを特徴とする局部洗浄便座装置。
【請求項１４】
請求項１〜１３のうちのいずれか一項において、前記複数スイッチのうちお尻洗浄用の前記スイッチとそれ以外の他のスイッチとが操作されることにより、前記累積回数表示指令手段は、お尻洗浄の前記累積回数を表示する指令を前記表示手段に出力することを特徴とする局部洗浄便座装置。
【請求項１５】
請求項１〜１３のうちのいずれか一項において、前記複数スイッチのうちビデ洗浄用の前記スイッチとそれ以外の他のスイッチとが操作されることにより、前記累積回数表示指令手段は、ビデ洗浄の前記累積回数を前記表示手段に表示することを特徴とする局部洗浄便座装置。
【請求項１６】
請求項１〜１５のうちのいずれか一項において、複数の前記操作スイッチのうち、少なくとも１個の前記操作スイッチが操作されることにより、前記累積回数記憶手段における前記累積回数をリセットすることを特徴とする局部洗浄便座装置。
【発明の詳細な説明】
【技術分野】
【０００１】
本発明は人体の局部を洗浄する局部洗浄便座装置に関する。
【背景技術】
【０００２】
従来、局部洗浄便座装置は一般家庭のトイレのおいて設置されているが、その使用頻度を把握することが要請される。更に局部洗浄便座装置は、近年、一般家庭のトイレのみならず、ホテルのパブリックゾーン、百貨店、空港、会社等のトイレにおいても設置されるようになっている。特に、これらの不特定多数の公衆が利用する場合には、往々にして、下記の理由により、その使用頻度を把握することが強く要請される。
（１）洗浄部の清掃の時期を知るため。
（２）使用者が便座に着座して排泄をしただけなのか、使用者が便座に着座して排泄をした後に洗浄処理したのかの頻度を知ることができる。後者の頻度が高ければ、局部洗浄便座装置の増設を検討することができる。
（３）メンテナンス時期を知るため。
（４）故障した際、累積使用回数を知るため。
【０００３】
特許文献１には、洗浄ノズルの使用頻度が所定値に達したときにＬＥＤが点灯し、洗浄ノズルの清掃時期を通報する技術が開示されている。
【０００４】
また特許文献２には、操作パネルに搭載されている温水スイッチおよび便差スイッチを隠れスイッチとして設定し、温水スイッチおよび便差スイッチが同時に操作されると、脱臭ファンを作動させる人体局部洗浄装置が知られている。この場合、脱臭ファンを作動させるスイッチを廃止でき、部品点数の削減に有利である。
【特許文献１】特開２００１−２０７５０６号公報
【特許文献２】特開平８−１７７１０５号公報
【発明の開示】
【発明が解決しようとする課題】
【０００５】
上記した特許文献１によれば、洗浄ノズルの使用回数が所定値に達したことを通報できるものの、洗浄ノズルの使用回数そのものを知ることができない。このため、所定期間における使用頻度を知ることができない。また、特許文献２によれば、使用者が便座に着座した累積回数、使用者が洗浄ノズルで洗浄処理した累積回数を知ることができない。
【０００６】
本発明は上記した実情に鑑みてなされたものであり、累積使用回数そのものを知ることができる局部洗浄便座装置を提供することを課題とする。
【課題を解決するための手段】
【０００７】
（１）様相１に係る本発明の局部洗浄便座装置は、使用者が着座する便座と、人体の局部を洗浄する洗浄水を吐出する洗浄部と、複数の操作スイッチをもつ操作パネルと、局部洗浄便座装置の設定状況または使用状況を表示する表示手段とを具備する局部洗浄便座装置において、使用者が便座に着座したことを検知する着座センサと、使用者が便座に着座した累積回数を記憶する累積回数記憶手段と、少なくとも１個の操作スイッチが操作されることにより、使用者が便座に着座した累積回数を表示手段に表示させる累積回数表示指令手段とを具備していることを特徴とするものである。この場合、操作パネルの操作スイッチが操作されると、累積回数表示指令手段は、使用者が便座に着座した累積回数を表示手段に表示させる。操作する操作スイッチは１個または２個以上とすることができる。２個以上のときには同時操作が好ましい。
【０００８】
（２）様相２に係る本発明の局部洗浄便座装置は、使用者が着座する便座と、人体の局部を洗浄する洗浄水を吐出する洗浄部と、複数の操作スイッチをもつ操作パネルと、局部洗浄便座装置の設定状況または使用状況を表示する表示手段とを具備する局部洗浄便座装置において、使用者が洗浄処理した累積回数を記憶する累積回数記憶手段と、少なくとも１個の操作スイッチが操作されることにより、使用者が洗浄部で洗浄処理した累積回数を表示手段に表示させる累積回数表示指令手段とを具備していることを特徴とするものである。この場合、操作パネルの操作スイッチが操作されることにより、累積回数表示指令手段は、使用者が洗浄処理した累積回数を表示手段に表示させる。操作する操作スイッチは１個または２個以上とすることができる。２個以上のときには同時操作が好ましい。
【０００９】
（３）様相３に係る本発明の局部洗浄便座装置は、使用者が着座する便座と、人体の局部を洗浄する洗浄水を吐出する洗浄部と、複数の操作スイッチをもつ操作パネルと、局部洗浄便座装置の設定状況または使用状況を表示する表示手段とを具備する局部洗浄便座装置において、使用者が便座に着座したことを検知する着座センサと、使用者が便座に着座した累積回数および使用者が洗浄部で洗浄処理した累積回数を記憶する累積回数記憶手段と、少なくとも１個の操作スイッチが操作されることにより、使用者が便座に着座した累積回数および使用者が洗浄部で洗浄処理した累積回数を表示手段に表示させる累積回数表示指令手段とを具備していることを特徴とするものである。この場合、操作パネルの操作スイッチが操作されることにより、累積回数表示指令手段は、使用者が便座に着座した累積回数および使用者が洗浄処理した累積回数を表示手段に表示させる。操作する操作スイッチは１個または２個以上とすることができる。２個以上のときには同時操作が好ましい。
【発明の効果】
【００１０】
様相１によれば、使用者が排泄のために便座に着座した累積回数を外部表示にすることができる。様相２によれば、使用者が洗浄部で洗浄処理した累積回数を外部表示にすることができる。このためこれらの累積回数を管理者は知ることができ、洗浄部の清掃時期、メンテナンス時期を知ることができる。
【００１１】
特に様相３によれば、使用者が便座に着座した累積回数と使用者が洗浄処理した累積回数との双方を管理者は知ることができるため、使用者が便座に着座して排泄をしただけなのか、使用者が便座に着座して排泄をした後に洗浄処理したのかの頻度を知ることができる。着座累積回数の割りに洗浄累積回数が多ければ、局部洗浄便座装置の洗浄部の使用頻度が高いことになり、局部洗浄便座装置の増設を計画することができる。
【００１２】
様相１〜様相３によれば、既存の局部洗浄装置の構成要素の追加、変更を伴わず、制御ソフトの変更だけで使用累積回数の集計を行うこともできる。このため使用累積回数を計測機能を有する局部洗浄装置をオンディマンドで受注しても、使用累積回数を計測機能を有する局部洗浄装置を短期間で提供することができる。
【発明を実施するための最良の形態】
【００１３】
局部洗浄便座装置は、使用者が着座する便座と、人体の局部を洗浄する洗浄水を吐出する洗浄部と、局部洗浄便座装置の各機能を操作する複数の操作スイッチをもつ操作パネルと、局部洗浄便座装置の各機能の設定状況または使用状況を表示する表示手段とを備えている。表示手段については、ＬＥＤ等の複数の表示素子で構成されている形態を例示でき、操作スイッチと共に操作パネルの操作面に搭載されていることが好ましい。便座については加熱部により加熱される暖房便座である形態を例示することができる。
【００１４】
様相１の好ましい形態によれば、使用者が便座に着座したことを検知する着座センサと、使用者が便座に着座した累積回数を記憶する累積回数記憶手段とを備えており、更に、使用者が便座に着座していないこと、複数の操作スイッチを操作することの少なくとも一方により、使用者が便座に着座した累積回数を表示手段に表示させる累積回数表示指令手段とを備えている。この場合、使用者が便座に着座した累積回数を外部表示にすることができる。着座センサについては、光の投光または遮光により使用者の着座を検知する光方式でも良いし、使用者が便座に着座する荷重を検知する方式でも良いし、便座に着座している使用者の温度を検知する方式でも良く、公知の方式を採用できる。累積回数記憶手段についてはメモリ等を例示できる。
【００１５】
様相２の好ましい形態によれば、使用者が洗浄処理した累積回数を記憶する累積回数記憶手段を備えており、更に、使用者が便座に着座していないこと、複数の操作スイッチが操作されることの少なくとも一方により、使用者が洗浄処理した累積回数を表示手段に表示させる累積回数表示指令手段を備えている。この場合、使用者が洗浄処理した累積回数を外部表示にすることができる。
【００１６】
様相３の好ましい形態によれば、使用者が便座に着座したことを検知する着座センサと、使用者が便座に着座した累積回数および使用者が洗浄部で洗浄処理した累積回数を記憶する累積回数記憶手段とを備えており、更に、使用者が便座に着座していないこと、複数の操作スイッチが操作されることの少なくとも一方により、使用者が便座に着座した累積回数および使用者が洗浄処理した累積回数を表示手段に表示させる累積回数表示指令手段とを備えている。この場合、使用者が便座に着座した累積回数と使用者が洗浄処理した累積回数との双方を知ることができる。このため、使用者が便座に着座して排泄をしただけなのか、使用者が便座に着座して排泄をした後に洗浄処理したのかを知ることができる。後者の頻度が高ければ、洗浄機能をもつ局部洗浄便座装置の増設を図ることができる。
【００１７】
上記した累積回数表示指令手段については、複数の操作スイッチが操作（同時操作が好ましい）されることにより累積回数を表示する形態を例示することができる。また、上記した累積回数表示指令手段については、使用者が便座に着座していない条件のもとで複数の操作スイッチが操作されることにより、累積回数を表示する形態を例示することができる。累積回数を表示する起因となる操作スイッチとしては、具体的には、お尻洗浄用のスイッチ、ビデ洗浄用のスイッチ、洗浄水の水勢を調整するスイッチ、洗浄水の温度を調整するスイッチ、便座を加熱するスイッチ、擬音を発生させるスイッチのうちの少なくとも２つである形態を例示できる。
【００１８】
本発明によれば、使用者が便座に着座しているときには、通常制御モードが実行されることが好ましい。ここで、通常制御モードは局部洗浄便座装置としての機能を果たす制御モードである。使用者が便座に着座していないときに、累積回数を表示する形態を採用することができる。使用者が便座に着座していないため、通常制御モードを実行せずとも良いためである。
【００１９】
前記した表示手段は操作パネルに設けられており、洗浄水の水勢のレベル、洗浄水の温度レベル、便座の温度レベルのうちの少なくとも一つを表示する機能を有する形態を例示することができる。更に、表示手段は、累積回数（着座累積回数、洗浄処理の累積回数のうちの少なくとも一つ）を表示する機能を併有する形態を例示できる。このように併有すれば、表示手段を別途新設する必要が無く、コスト低減および小型化に有利である。
【００２０】
一般的には累積回数は複数の桁の数字からなる。この場合、累積回数表示指令手段は、累積回数を表示手段により表示するにあたり、累積回数の各桁における数字を、連続点灯（または点滅点灯、場合によっては消灯）した表示素子の個により表示する形態を例示できる。この場合、累積回数表示指令手段は、複数の桁からなる累積回数のうち、上桁から下桁に向けて順に表示する指令を表示手段に出力する形態を例示できる。この場合、累積回数が２５６回である場合には、表示素子を２個（最上位の桁の数字）点灯させる状態→表示素子を５個（次に上位の桁の数字）点灯させる状態→表示素子を６個（次に上位の桁の数字）点灯させる状態の順に、表示素子は制御される。また、累積回数表示指令手段は、複数の桁からなる累積回数のうち、下桁から上桁に向けて順に表示する指令を表示手段に出力する形態を例示できる。この場合、累積回数が２５６回である場合には、表示素子を６個（最下位の桁の数字）点灯させる状態→表示素子を５個（次に下位の桁の数字）点灯させる状態→表示素子を２個（次に下位の桁の数字）点灯させる状態の順に、表示素子は制御される。
【００２１】
累積回数の各桁の数字の表示を切り替えるにあたり、累積回数表示指令手段は、少なくとも１個の操作スイッチの操作により、累積回数の各桁の表示を切り替える指令を表示手段に出力する形態を例示できる。また、累積回数表示指令手段は、時間経過につれて、累積回数の各桁の表示を切り替える指令を表示手段に出力する形態を例示できる。この場合、操作スイッチの操作が無くても、各桁の表示が自動的に切り替えられるため、便利である。なお、桁を切り替えるときには、全部または多数の表示素子を点滅させれば、桁が切り替る旨を操作者に明確に知らせることができる。
【００２２】
複数スイッチのうちお尻洗浄用のスイッチとそれ以外の他のスイッチとが操作されることにより、累積回数表示指令手段はお尻洗浄の累積回数を表示する指令を出力する形態を例示できる。この場合、お尻洗浄の累積回数を表示することができる。また、使用者が便座に着座していない条件のもとで、複数スイッチのうちビデ洗浄用のスイッチとそれ以外の他のスイッチとが操作されることにより、累積回数表示指令手段はビデ洗浄の累積回数を表示する指令を出力する形態を例示できる。この場合、ビデ洗浄の累積回数を表示することができる。
【００２３】
更に、複数の操作スイッチのうち、使用者が便座に着座していない条件のもと少なくとも１個の操作スイッチが操作されることにより、累積回数記憶手段における累積回数をリセットする形態を例示できる。累積回数がリセットされるので、累積回数を再びカウントできる。また、少なくとも１個の操作スイッチが操作されることにより、累積回数を表示するモードから、通常制御モードに復帰させる形態を例示できる。この場合、通常制御モードに復帰するため、局部洗浄処理装置の本来の制御機能が実行される。
【００２４】
家庭用の人体局部洗浄装置のみならず、ホテル、旅館、空港、学校、会社等の不特定多数の人が使用する公衆用の人体局部洗浄装置に利用することができる。
【実施例１】
【００２５】
以下、本発明の実施例１を具体的に説明する。図１に示すように、局部洗浄便座装置はロータンク１ｃをもつ便器１に搭載されており、基部２と、基部２に上下方向に回動可能に設けられ使用者が着座する便座３と、便座３を覆うことができるように基部２に上下方向に回動可能に設けられ便蓋４と、人体の局部を洗浄する洗浄水を吐出する洗浄部５と、基部２に設けられ局部洗浄便座装置の機能を操作する操作パネル６と、操作パネル６に設けられ局部洗浄便座装置の設定状況または使用状況を表示する表示手段７とを備えている。洗浄部５は、お尻を洗浄する洗浄水を吐出する第１ノズル５１と、ビデ洗浄用の洗浄水を吐出する第２ノズル５２とで形成されている。
【００２６】
基部２には、使用者が便座３に着座（着座に近似した状態も含む）したことを光により検知する光式の着座センサ２２が設けられている。基部２に内部には制御装置９（図３参照）が設けられている。図３に示すように、制御装置９は、信号が入力される入力処理回路９２と、演算処理を行うＣＰＵ９３及びデータ及びプログラムを格納するメモリ９４（累積回数記憶手段）を有する制御回路９５と、制御信号を出力する出力処理回路９６とを備えている。ここで、着座センサ２２，各スイッチ８０〜８７の各信号は入力処理回路９２を経てＣＰＵ９３に入力される。ＣＰＵ９３の制御信号は、出力処理回路９６を介して、第１ノズル５１、第２ノズル５１、便座ヒータ３ｃ、温水ヒータ２ｃ、ＬＥＤ７０ａ〜ＬＥＤ７０ｋにそれぞれの駆動回路を経て出力される。
【００２７】
図２は操作パネル６の操作面６０を示す。図２に示すように、操作パネル６の操作面６０には操作スイッチ８が設けられている。操作スイッチ８は、停止機能を果たす止めスイッチ８０、お尻洗浄用スイッチ８１、ビデ洗浄用スイッチ８２、擬音発生用スイッチ８３、洗浄水の水勢の強さを弱くなるように調整する第１水勢スイッチ８４、洗浄水の水勢の強さを強くなるように調整する第２水勢スイッチ８５、便座３の温度を調整する便座スイッチ８６、洗浄水の温度を調整する温水スイッチ８７が設けられている。
【００２８】
更に、図２に示すように、表示手段７は、操作パネル６の操作面６０に設けられた表示素子として機能する複数のＬＥＤ７０ａ〜ＬＥＤ７０ｋで構成されている。ＬＥＤ７０ａ、ＬＥＤ７０ｂ、ＬＥＤ７０ｃは洗浄水の水勢のレベルを示すものであり、ＬＥＤ７０ａは水勢が相対的に弱いことを示し、ＬＥＤ７０ｂは水勢が相対的に中であることを示し、ＬＥＤ７０ｃは水勢が相対的に強いことを示す。ＬＥＤ７０ｄ、ＬＥＤ７０ｅ、ＬＥＤ７０ｆは便座３の温度のレベルを示すものであり、ＬＥＤ７０ｄは相対的に低温を示し、ＬＥＤ７０ｅは相対的に中温を示し、ＬＥＤ７０ｆは相対的に高温を示す。ＬＥＤ７０ｇ、ＬＥＤ７０ｈ、ＬＥＤ７０ｉは洗浄水の温度のレベルを示すものであり、ＬＥＤ７０ｇは相対的に低温を示し、ＬＥＤ７０ｈは相対的に中温を示し、ＬＥＤ７０ｉは相対的に高温を示す。ＬＥＤ７０ｋは節電モードであることを示す。
【００２９】
ＬＥＤ７０ａ〜ＬＥＤ７０ｋは、洗浄便座装置が本来もつ機能を果たす洗浄水の温度レベル、便座３の温度レベル、節電モード等を表示すると共に、累積回数（着座累積回数、洗浄処理の累積回数）を表示する機能を併有するものである。  排泄の際には、使用者が便座３に着座（着座に近い状態も含む）する。この場合、着座センサ２２が使用者を検知するため、制御装置９は通常制御モードを実行する。通常制御モードによれば、お尻洗浄用スイッチ８１が操作されると、第１ノズル５１から洗浄水が吐出されてお尻洗浄が行われる。ビデ洗浄用スイッチ８２が操作されると、第２ノズル５２から洗浄水が吐出されてビデ洗浄が行われる。擬音発生用スイッチ８３が操作されると、流水音等の擬音が発生する。弱用の第１水勢スイッチ８４が操作されると、第１ノズル５１および第２ノズル５２から吐出される洗浄水の水勢が弱くなるように調整される。強用の第２水勢スイッチ８５が操作されると、第１ノズル５１および第２ノズル５２から吐出される洗浄水の水勢が強くなるように調整される。また、止めスイッチ８０がお尻洗浄中に操作されると、第１ノズル５１から洗浄水が吐出することが停止される。止めスイッチ８０がビデ洗浄中に操作されると、第２ノズル５２から洗浄水が吐出することが停止される。更に、通常制御モードによれば、便座スイッチ８６が操作されると、便座ヒータ３ｃひいては便座３の温度が調整される。温水スイッチ８７が操作されると、温水ヒータ２ｃひいては洗浄水の温度が調整される。このような通常制御モードは、使用者が便座３に着座するか、着座に近似した状態となることを前提としている。
【００３０】
通常制御モードによれば、使用者が便座３に着座するごとに、着座センサ２２が検知した回数がカウントされてメモリ９４の着座回数用のエリアに格納され、また、お尻洗浄用スイッチ８１が操作された回数がカウントされてメモリ９４のお尻洗浄回数用のエリアに格納され、また、ビデ洗浄用スイッチ８２が操作された回数がカウントされてメモリ９４のビデ洗浄回数用のエリアに格納される。従って、通常制御モードにおいて、メモリ９４は、着座の累積回数、お尻洗浄の累積回数、ビデ洗浄の累積回数をそれぞれ記憶する。なお、回数のカウント検知誤差を避けるため、着座センサ２２の検知が所定時間継続するとき、お尻洗浄用スイッチ８１の操作が所定時間継続するとき、ビデ洗浄用スイッチ８２の操作が所定時間継続するとき、回数をカウントすることが好ましい。
【００３１】
さて、累積回数を表示する処理について説明する。この処理では、メモリ９４に格納されている着座の累積回数、お尻洗浄の累積回数、ビデ洗浄の累積回数のそれぞれを表示する。まず、使用者が便座３に着座していないことを着座センサ２２が検知している状態において、累積回数表示モードは実行される。従って、使用者が便座３に着座していることを着座センサ２２が検知している状態においては、累積回数を表示する処理は実行されない。即ち、使用者が便座３に着座していないことを着座センサ２２が検知している状態において、止めスイッチ８０とお尻洗浄用スイッチ８１との双方が所定時間Ｔ１、同時に押圧操作されると、お尻洗浄の累積回数を表示するお尻洗浄累積回数表示モードとなり、ＬＥＤ７０ａ〜ＬＥＤ７０ｋはお尻洗浄の累積回数の桁数及び数字を表示する。このように止めスイッチ８０とお尻洗浄用スイッチ８１とは、お尻洗浄の累積回数を表示する隠れコマンドスイッチを構成する。
【００３２】
また、使用者が便座３に着座していないことを着座センサ２２が検知している状態において、止めスイッチ８０とビデ洗浄用スイッチ８２との双方が所定時間Ｔ２、同時に押圧操作されると、ビデ洗浄の累積回数を表示するモードとなり、ＬＥＤ７０ａ〜ＬＥＤ７０ｋはビデ洗浄の累積回数の桁数及び数字を表示する。このように止めスイッチ８０とビデ洗浄用スイッチ８２とは、ビデ洗浄の累積回数を表示する隠れコマンドスイッチを構成する。
【００３３】
また、使用者が便座３に着座していないことを着座センサ２２が検知している状態において、止めスイッチ８０と温水スイッチ８７との双方が所定時間Ｔ３、同時に押圧操作されると、使用者が便座３に着座した累積回数を表示するモードとなり、ＬＥＤ７０ａ〜ＬＥＤ７０ｋは使用者が便座３に着座した累積回数の桁数及び数字を表示する。このように止めスイッチ８０と温水スイッチ８７とは、着座した累積回数を表示する隠れコマンドスイッチを構成する。
【００３４】
また、使用者が便座３に着座していないことを着座センサ２２が検知している状態において、止めスイッチ８０と温水スイッチ８７と便差スイッチ８６の３つが所定時間Ｔ４、同時に押圧操作されると、前記した各累積回数をそれぞれリセットして０とするリセットモードとなる。このようにリセットのときには、累積回数表示モードにおける操作されるスイッチの個数と異なる。具体的には、累積回数表示モードの時には複数のスイッチを操作する。しかしリセットモードのときには、累積回数表示モードにおける操作されるスイッチの個数よりも多い個数のスイッチを積極的に操作させる必要があるため、リセットモードが過誤操作されることを回避できる。
【００３５】
定期的または不定期的に累積回数をリセットすれば、リセットとリセットとの間の期間における着座の累積回数、お尻洗浄の累積回数、ビデ洗浄の累積回数を知ることができる。このように止めスイッチ８０と温水スイッチ８７と便差スイッチ８６は、累積回数をリセットするための隠れコマンドスイッチを構成する。なお、時間Ｔ１〜Ｔ４については同じ時間としても良いし、異なる時間としても良い。検知誤差を回避するため１秒以上とすることができる。
【００３６】
一般的には上記した累積回数は複数の桁の数字からなる。この場合、本実施例によれば、累積回数を表示手段７により表示するにあたり、先ず、桁数の表示を優先的に行う。次に、累積回数の各桁における数字を、ＬＥＤ７０ａ〜ＬＥＤ７０ｋのうち点灯したＬＥＤの個数により表示する。殊に、複数の桁からなる累積回数のうち、上桁から下桁に向けて順に表示する。このように点灯したＬＥＤの個数により数字を表示するため、操作パネル６に従来から搭載されている既存のＬＥＤ７０ａ〜ＬＥＤ７０ｋの表示機能を累積回数の表示のために利用することができ、表示手段７を操作パネル６等に別途新設する必要が無く、コスト低減に有利である。
【００３７】
例えば、累積回数が２５６回（即ち、３桁の数字）である場合には、次のように行う。まず、図４のＡ欄に示すように、ＬＥＤ７０ａ〜ＬＥＤ７０ｋの全部を点滅させ、累積回数の表示を開始することを報知する。次に図４のＢ欄に示すように、桁数の表示を行うために、ＬＥＤ７０ａ〜ＬＥＤ７０ｋのうち合計３個のＬＥＤ７０ａ，７０ｂ，７０ｃ（累積回数が３桁であることを意味する）を点灯させる。次に、図４のＣ欄に示すように、ＬＥＤ７０ａ〜ＬＥＤ７０ｋの全部を点滅させ、累積回数の桁数の表示を終了すると共に、累積回数の数字の表示を開始することを報知する。そして図４のＤ欄に示すように、最上位の桁の数字である２を表示すべく、ＬＥＤ７０ａ〜ＬＥＤ７０ｋのうち、合計２個のＬＥＤ７０ａ，７０ｂを点灯させる。次に、図４のＥ欄に示すように、次の桁の数字である５を表示すべく、ＬＥＤ７０ａ〜ＬＥＤ７０ｋのうち、合計５個のＬＥＤ７０ａ，７０ｂ，７０ｃ，７０ｄ，７０ｅを点灯させる。次に、図４のＦ欄に示すように、更に次の桁の数字である５を表示すべく、ＬＥＤ７０ａ〜ＬＥＤ７０ｋのうち、合計６個（次の桁の数字である６を意味する）のＬＥＤ７０ａ，７０ｂ，７０ｃ，７０ｄ，７０ｅ，７０ｆを点灯させる。
【００３８】
このようにして累積回数の報知が終了したら、次に、図４のＧの欄に示すように、ＬＥＤ７０ａ〜ＬＥＤ７０ｋの全部を点滅させ、累積回数の表示の終了を報知する。その後、自動的に、あるいは、スイッチ８０〜８７のうちのいずれかのスイッチ（止めスイッチ８０が好ましい）の操作により、累積回数を表示するモードから通常制御モードに復帰する。
【００３９】
以上説明したように本実施例によれば、使用者が便座３に着座した累積回数を外部表示にすることができる。更に、使用者がお尻洗浄した累積回数、ビデ洗浄した累積回数を外部表示にすることができる。このためこれらの累積回数を管理者（ユーザーを含む）は知ることができ、洗浄部５の清掃時期、メンテナンス時期を正確に知ることができる。しかも、従来から操作パネル６に搭載されている洗浄水の水勢表示機能、洗浄水の温度表示機能、便座３の温度表示機能を果たすために既存のＬＥＤ７０ａ〜ＬＥＤ７０ｋを、累積回数の表示のために利用する。このため、表示手段７を操作パネル６に別途新設する必要が無く、コスト低減に有利である。
【００４０】
本実施例によれば、使用者が便座３に着座した累積回数と、使用者が洗浄処理した累積回数との双方を管理者（ユーザーを含む）は知ることができる。このため、使用者が便座３に着座して排泄をしただけなのか、あるいは、使用者が便座３に着座して排泄をした後にお尻洗浄処理したのかの頻度、あるいは、使用者が便座３に着座して排泄をした後にビデ洗浄処理したのかの頻度を知ることができる。即ち、着座回数とお尻洗浄回数との関係、着座回数とビデ洗浄回数との関係を管理者（ユーザーを含む）は知ることができる。
【００４１】
更に本実施例によれば、使用者が便座３に着座していない条件のもとで、複数のスイッチが操作されることにより制御モードが通常制御モードから、累積回数を表示するモードに変更される。従って、使用者が便座３に着座している条件のもとでは、操作スイッチ８の操作に応じた通常制御モードが良好に実行され、お尻洗浄、ビデ洗浄等を正常に行うことができる。即ち、累積回数表示モードは、使用者が便座３に着座していないときに実行されるので、累積回数の表示を良好に行うことができる。
【００４２】
上記したように本実施例によれば、使用者が便座３に着座していない条件のもとで、複数スイッチのうちお尻洗浄用スイッチ８１と止めスイッチ８０とが同時操作されることにより、制御モードが通常制御モードからお尻洗浄累積回数表示モードに切り替わり、お尻洗浄の累積回数を表示することができる。また、使用者が便座３に着座していない条件のもとで、複数スイッチのうちビデ洗浄用スイッチ８２と止めスイッチ８０とが同時操作されることにより、制御モードが通常制御モードからビデ洗浄累積回数表示モードに切り替わり、ビデ洗浄の累積回数を表示することができる。また、使用者が便座３に着座していない条件のもとで、複数スイッチのうち温水スイッチ８７と止めスイッチ８０とが同時操作されることにより、制御モードが通常制御モードから着座累積回数表示モードに切り替わり、便座３に着座した累積回数を表示することができる。
【００４３】
本実施例によれば、既存の局部洗浄装置の構成要素の追加、変更を伴わず、制御ソフトの変更だけで使用累積回数の集計を行うことができる。このため使用累積回数を計測機能を有する局部洗浄装置をオンディマンドで受注しても、使用累積回数を計測機能を有する局部洗浄装置を短期間で提供することができる。
【００４４】
図５〜図８はＣＰＵ９３が実行する制御の代表的なフローチャートを示す。但しフローチャートは一例であり、これに限定されるものではない。図５は累積回数をカウントするカウント処理の一例を示す。先ず、通常制御モードにおいて、着座センサ２２、各スイッチ８０〜８７の信号を読み込む（ステップＳ２）。次に、使用者が便座３に着座しているか否か判定する（ステップＳ４）。使用者が便座３に着座していれば、便座３に着座した回数を示すカウント数ＮＡを１増加させる（ステップＳ６）。ステップＳ４、Ｓ６は便座着座回数カウント手段として機能する。次に、お尻洗浄用スイッチ８１の操作により使用者がお尻洗浄したか否か判定し（ステップＳ８）、お尻洗浄用スイッチ８１の操作によりお尻洗浄していれば、お尻洗浄した回数を示すカウント数ＮＢを１増加させる（ステップＳ１０）。ステップＳ８、Ｓ１０はお尻洗浄回数カウント手段として機能する。次に、ビデ洗浄用スイッチ８２の操作により、使用者がビデ洗浄したか否か判定し（ステップＳ１２）、ビデ洗浄用スイッチ８２の操作によりビデ洗浄していれば、ビデ洗浄した回数を示すカウント数ＮＣを１増加させる（ステップＳ１４）。ステップＳ１２、Ｓ１４はビデ洗浄回数カウント手段として機能する。カウント数ＮＡ、ＮＢ、ＮＣをメモリ９４の所定のエリアにそれぞれ格納し（ステップＳ１６）、メインルーチンにリターンする。このように通常制御処理において累積回数がカウントされ、メモリ９４に格納される。使用者が便座３に着座していなければ（ステップＳ４のＮＯ）、累積回数を表示してよいか判定する（ステップＳ１８）。ＹＥＳであれば、累積回数を表示する処理に移行する（ステップＳ６０）。
【００４５】
図６は累積回数を表示する処理におけるスイッチ操作判定処理の一例を示す。このスイッチ操作判定処理は、人が便座に着座していない条件の下で実行される。スイッチ操作判定処理が局部洗浄装置の本来の機能に対して支障とならないためである。図６に示すように、まず、下記の各フラグＡ〜Ｃを０にする（ステップＳ６０２）。スイッチ８１〜８７が操作されていたとしても、その本来の機能動作をキャンセルする指令を出力する（ステップＳ６０４）。スイッチ８０〜８７の信号を読み込む（ステップＳ６０６）。そして、止めスイッチ８０が操作されているか否か判定する（ステップＳ６０８）。止めスイッチ８０が操作されていなければ、メインルーチンにリターンする。次に、止めスイッチ８０が操作されていれば、お尻洗浄用スイッチ８１が操作されているか否か判定する（ステップＳ６１０）。お尻洗浄用スイッチ８１が操作されていれば、お尻洗浄累積回数を表示するためのフラグＡを１にする（ステップＳ６１２）。お尻洗浄用スイッチ８１が操作されていなければ、ビデ洗浄用スイッチ８２が操作されているか否か判定する（ステップＳ６１４）。ビデ洗浄用スイッチ６１４が操作されていれば、ビデ洗浄累積回数を表示するためのフラグＢを１にする（ステップＳ６１６）。また、ビデ洗浄用スイッチ８２が操作されていなければ、温水スイッチ８７が操作されているか否か判定する（ステップＳ６１８）。温水スイッチ８７が操作されていれば、便座スイッチ８６が操作されているか否か判定する（ステップＳ６２０）。便座スイッチ８６が操作されていなければ、着座累積回数を表示するフラグＣを１にする（ステップＳ６２２）。便座スイッチ８６が操作されていれば、リセットフラグを１にする（ステップＳ６２４）。
【００４６】
上記した複数のスイッチの操作が所定時間（例えば６秒）継続しているか判定する（ステップＳ６２６）。上記した複数のスイッチの操作が所定時間操作が継続していれば、２個または３個のスイッチが所定時間、継続して操作されていることになるため、ＬＥＤ表示処理に進む（ステップＳ７００）。止めスイッチ８０、お尻洗浄用スイッチ８１、ビデ洗浄用スイッチ８２、温水スイッチ８７が非操作であれば、累積回数の表示を行わないため、上記した各フラグを０にする（ステップＳ６２８）。
【００４７】
図７はＬＥＤ表示処理モードを示す。図７に示すように、お尻洗浄累積回数表示のためのフラグＡが１であるときには、お尻洗浄累積回数表示モードを実行すべく、メモリ９４のうちお尻洗浄累積回数用のエリアに格納されているデータ（お尻洗浄累積回数）を読み込む（ステップＳ７０２，Ｓ７０４）。ビデ洗浄累積回数を表示するためのフラグＢが１であるときには、ビデ洗浄累積回数表示モードを実行すべく、メモリ９４のうちビデ洗浄累積回数用のエリアに格納されているデータ（ビデ洗浄累積回数）を読み込む（ステップＳ７０６，Ｓ７０８）。着座累積回数表示のためのフラグＣが１であるときには、着座累積回数表示モードを実行すべく、メモリ９４のうち着座累積回数用のエリアに格納されているデータ（着座累積回数）を読み込む（ステップＳ７１０，Ｓ７１２）。リセットフラグが１であるときには、メモリ９４の各エリアに格納されている各累積回数を０にリセットする（ステップＳ７１４、Ｓ７１６）。
【００４８】
次に、図８に示すように、全部のＬＥＤ７０ａ〜ＬＥＤ７０ｋを点滅させる（ステップＳ７２０）。点滅より累積回数の表示の開始が報知される。次に、止めスイッチ８０が操作されるまで待機（ステップＳ７２２）、操作されれば、累積回数の桁数を所定時間表示する（ステップＳ７２４）。次に、止めスイッチ８０が操作されるまで待機し（ステップＳ７２６）、操作されれば、全部のＬＥＤ７０ａ〜ＬＥＤ７０ｋを所定時間点滅させる（ステップＳ７２８）。点滅より累積回数の桁数の表示の終了と、各桁の数字の表示の開始とが報知される。次に、止めスイッチ８０が操作されるまで待機する（ステップＳ７３０）。操作されれば、累積回数の桁数のうち最上位の数字に相当する個数のＬＥＤ７０を所定時間点灯して表示させる（ステップＳ７３２）。次に、止めスイッチ８０が操作されるまで待機し（ステップＳ７３４）、操作されれば、累積回数の桁数のうち次に下に位置する桁の数字に相当する個数のＬＥＤ７０を所定時間点灯させる（ステップＳ７３６）。桁数が終了しているか判定する（ステップＳ７３８）。桁数が終了していなければ（ステップＳ７３８のＮＯ）、止めスイッチ８０が操作されるまで待機する（ステップＳ７４０）。止めスイッチ８０が操作されれば、累積回数の桁数のうち次の下位に位置する桁の数字に相当する個数のＬＥＤ７０を所定時間点灯させる（ステップＳ７３６）。
【００４９】
桁数が終了していれば（ステップＳ７３８のＹＥＳ）、止めスイッチ８０が操作されるまで待機する（ステップＳ７４２）。止めスイッチ８０が操作されれば、全部のＬＥＤ７０ａ〜ＬＥＤ７０ｋを所定時間点滅させる（ステップＳ７４４）。点滅により、累積回数の表示が終了したことが報知される。次に、止めスイッチ８０が操作されるまで待機する（ステップＳ７４６）。操作されれば、通常制御モードに復帰する（ステップＳ７４８）。上記した図６〜図８は累積回数表示指令手段の内容を示す。
【００５０】
上記した止めスイッチ８０は、局部洗浄装置の積極的な動作を停止させる消極的な機能を果たすものである。このように積極的な動作機能を果たさない止めスイッチ８０の操作により、累積回数の桁を切り替える動作を行うことにしている。このため、累積回数の表示中に洗浄水が誤って噴出したりするおそれが回避される。場合によっては、止めめスイッチ８０以外の他のスイッチを操作することにより、累積回数の桁を切り替える動作を行っても良い。
【００５１】
上記した実施例によれば、累積回数を表示手段７により表示するにあたり、先ず、桁数の表示を優先的に行ない、次に、累積回数の各桁における数字を点灯したＬＥＤの個数により表示することにしているが、桁数の表示を行わず、累積回数の各桁における数字を点灯したＬＥＤの個数により表示することにしてもよい。
【実施例２】
【００５２】
本発明の実施例２について具体的に説明する。本実施例は実施例１と基本的には同様の構成および同様の作用効果を有する。本実施例は図１〜図４を準用する。本実施例においても実施例１と同様に、使用者が便座３に着座した累積回数と、使用者が洗浄処理した累積回数との双方を管理者（ユーザーを含む）は知ることができる。
【００５３】
前記した実施例１の図８では、累積回数の桁を切り替え等を行うにあたり、前記したステップＳ７２２、Ｓ７２６、Ｓ７３０、Ｓ７３４、Ｓ７４０、Ｓ７４２、Ｓ７４６は、止めスイッチ８０が操作されるまで待機するものである。この点本実施例に係る図９は図８と基本的には同様な動作を行うものであるが、図９に示すように、前記したステップＳ７２２、Ｓ７２６、Ｓ７３０、Ｓ７３４、Ｓ７４０、Ｓ７４２、Ｓ７４６は所定時間（例えば数秒）経過するまで待機するステップとされている。この場合、累積回数を表示させるとき、累積回数の桁を切り替えるにあたり、作業者が止めスイッチ８０を逐一操作せずとも、所定時間経過すれば、累積回数の桁の数字が自動的に表示されるので、作業者は便利である。なお、ＬＥＤ７０ａ〜ＬＥＤ７０ｋを利用して累積回数を表示するに際して、桁の切替の報知性を確実にするため、累積回数の桁を切り替える動作に先立ち、全部のＬＥＤ７０ａ〜ＬＥＤ７０ｋを点滅させる動作を加えても良い。
【実施例３】
【００５４】
本発明の実施例３について説明する。本実施例は実施例１と基本的には同様の構成および同様の作用効果を有する。図１〜図４を準用することができる。以下、異なる部分を中心として説明する。本実施例によれば、洗浄処理した累積回数を表示しないものの、使用者が便座３に着座した累積回数を外部表示にする。着座の累積回数に応じたメンテナンス時期を知ることができる。
【実施例４】
【００５５】
本発明の実施例４について説明する。本実施例は実施例１と基本的には同様の構成および同様の作用効果を有する。図１〜図４を準用することができる。以下、異なる部分を中心として説明する。本実施例によれば、使用者が便座３に着座した累積回数を外部表示にしないものの、使用者がお尻洗浄した累積回数、ビデ洗浄した累積回数を外部表示にすることができる。洗浄部５の清掃時期、洗浄部５のメンテナンス時期を正確に知ることができる。
【００５６】
（他の実施例）
上記した各実施例によれば、累積回数の表示にあたり、桁数の表示と各桁の数字の表示の双方を表示することにしているが、これに限らず、桁数の表示を行わず、各桁の数字の表示のみを行うことにしても良い。各実施例によれば、便座３は暖房便座機能を有するが、暖房便座機能を有しないものでも良い。各実施例によれば、お尻洗浄する第１ノズル５１、ビデ洗浄する第２ノズル５２の双方が搭載されているが、いずれか一方でも良い。第１ノズル５１が設けられている場合には、お尻洗浄した累積回数を表示する。第２ノズル５２が設けられている場合には、ビデ洗浄した累積回数を表示する。その他、本発明は上記し且つ図面に示した実施例のみに限定されるものではなく、要旨を逸脱しない範囲内で適宜変更して実施できるものである。
【産業上の利用可能性】
【００５７】
本発明は家庭用の人体局部洗浄装置のみならず、ホテル、旅館、空港、学校、会社等の不特定多数の人が使用する公衆用の人体局部洗浄装置に利用することができる。
【図面の簡単な説明】
【００５８】
【図１】実施例１に係り、人体局部洗浄装置の斜視図である。
【図２】操作パネルの平面図である。
【図３】制御装置のブロック図である。
【図４】ＬＥＤの点灯表示形態を示す構成図である。
【図５】累積回数カウント処理のフローチャートである。
【図６】累積回数を表示する処理のフローチャートである。
【図７】ＬＥＤ表示処理のフローチャートである。
【図８】ＬＥＤ表示処理のフローチャートである。
【図９】実施例２に係り、ＬＥＤ表示処理のフローチャートである。
【符号の説明】
【００５９】
１は便器、２は基部、２２は着座センサ、３は便座、５は洗浄部、５１は第１ノズル、５２は第２ノズル、６は操作パネル、７は表示手段、７０ａ〜７０ｋはＬＥＤ、８は操作スイッチ、８１は止めスイッチ、８１はお尻洗浄用スイッチ、８２はビデ洗浄用スイッチ、８３は擬音発生用スイッチ、８４は第１水勢スイッチ、８５は第２水勢スイッチ、８６は便座スイッチ、８７は温水スイッチ、９は制御装置、９４はメモリを示す。
【図１】
2007023498.tif 000003
【図２】
2007023498.tif 000004
【図３】
2007023498.tif 000005
【図４】
2007023498.tif 000006
【図５】
2007023498.tif 000007
【図６】
2007023498.tif 000008
【図７】
2007023498.tif 000009
【図８】
2007023498.tif 000010
【図９】
2007023498.tif 000011